(57)【要約】【課題】本開示は、複雑な構成を必要とせず、静電気対策が可能な電子機器を提供する。【解決手段】本開示における電子機器は、金属の筐体と、前記筐体の内側に配置される樹脂部材と、前記樹脂部材の上面に配置される回転部材と、前記樹脂部材の上面に配置され、前記回転部材の内側に配置される釦と、前記樹脂部材と前記釦の間に設けられ、前記釦に対して付勢力を与えるバネと、を備える。前記バネは、一部が前記筐体まで伸びて、筐体に接触される。【選択図】図８
2015079043.tif 000002
【特許請求の範囲】
【請求項１】
金属の筐体と、
前記筐体の内側に配置される樹脂部材と、
前記樹脂部材の上面に配置される回転部材と、
前記樹脂部材の上面に配置され、前記回転部材の内側に配置される釦と、
前記樹脂部材と前記釦の間に設けられ、前記釦に対して付勢力を与えるバネと、
を備え、
前記バネは、一部が前記筐体まで伸びて、前記筐体に接触される、
電子機器。
【請求項２】
前記樹脂部材は、上面に溝が形成されており、
前記バネは、前記溝を通過して前記筐体に接触される、
請求項１に記載の電子機器。
【発明の詳細な説明】
【技術分野】
【０００１】
本開示は、金属釦を備える電子機器に関する。
【背景技術】
【０００２】
特許文献１は、トップケースに操作釦を備えるカメラボディを開示する。
【先行技術文献】
【特許文献】
【０００３】
【特許文献１】国際公開第２０１０／０２９７３１号
【発明の概要】
【発明が解決しようとする課題】
【０００４】
本開示は、使用者によって操作される金属釦を備える電子機器において、複雑な構成を必要とせず、静電気対策が可能な電子機器を提供する。
【課題を解決するための手段】
【０００５】
本開示における電子機器は、金属の筐体と、前記筐体の内側に配置される樹脂部材と、前記樹脂部材の上面に配置される回転部材と、前記樹脂部材の上面に配置され、前記回転部材の内側に配置される釦と、前記樹脂部材と前記釦の間に設けられ、前記釦に対して付勢力を与えるバネと、を備える。前記バネは、一部が前記筐体まで伸びて、筐体に接触される。
【発明の効果】
【０００６】
本開示における電子機器は、複雑な構成を必要とせず、静電気対策が可能となる。
【図面の簡単な説明】
【０００７】
【図１】実施の形態１におけるカメラボディの斜視図
【図２】実施の形態１におけるカメラボディの上面図
【図３】実施の形態１におけるトップケースユニットの展開斜視図
【図４】図２のＹ−Ｙ断面の一部拡大図
【図５】図４の展開図
【図６】図５の斜視図
【図７】実施の形態１におけるトップケース１００と樹脂ケース４００とネジリコイルバネ６００との関係を示す図
【図８】実施の形態１における図２のＹ−Ｙ断面の模式図
【図９】実施の形態１におけるトップケースユニットをボトム側から見た展開斜視図
【発明を実施するための形態】
【０００８】
以下、適宜図面を参照しながら、実施の形態を詳細に説明する。但し、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。
【０００９】
なお、発明者（ら）は、当業者が本開示を十分に理解するために添付図面および以下の説明を提供するのであって、これらによって特許請求の範囲に記載の主題を限定することを意図するものではない。
【００１０】
（実施の形態１）
以下、図１〜９を用いて、実施の形態１を説明する。
【００１１】
［１−１．カメラボディの構成（図１、図２）］
実施の形態１では、カメラボディを例に説明する。カメラボディは、交換レンズ（不図示）が装着可能である。以下、図１〜２を用いて、説明を行う。
【００１２】
図１は、カメラボディの斜視図である。図２は、カメラボディの上面図である。
【００１３】
カメラボディは、トップケースユニットとして、トップケース１００、フォーカスダイヤル２００、ファンクション釦３００を備える。
【００１４】
トップケース１００は、カメラボディ本体の上部に設けられる外装部材である。トップケース１００は、外観の品位向上のため、外装部分が金属材料で構成されている。
【００１５】
フォーカスダイヤル２００は、使用者によって回転操作可能な釦である。フォーカスダイヤル２００は、トップケース１００と同様に、外観の品位向上のため、外装部分が金属材料で構成されている。
【００１６】
ファンクション釦３００は、使用者によって押下操作可能な釦である。ファンクション釦３００は、トップケース１００と同様に、外観の品位向上のため、外装部分が金属材料で構成されている。
【００１７】
上述した構成において、フォーカスダイヤル２００やファンクション釦３００は、トップケース１００と比べ、比較的に小さな部材である。また、フォーカスダイヤル２００やファンクション釦３００は、外装部分が金属であり、使用者によって操作される部材である。そのため、静電気対策を施した構成が必要になる。以下、トップケース１００、フォーカスダイヤル２００、ファンクション釦３００を含むトップケースユニットの具体的構成を説明する。
【００１８】
［１−２．トップケースユニットの詳細構成（図３〜９）］
以下、図３〜９を用いて、トップケースユニットの構成を説明する。
【００１９】
図３は、トップケースユニットの展開斜視図である。図４は、図２のＹ−Ｙ断面の一部拡大図である。図５は、図４の展開図である。図６は、図５の斜視図である。図７は、トップケース１００と樹脂ケース４００とネジリコイルバネ６００との関係を示す図である。図８は、図２のＹ−Ｙ断面の模式図である。図９は、トップケースユニットをボトム側から見た展開斜視図である。
【００２０】
トップケースユニットは、トップケース１００、フォーカスダイヤル２００、ファンクション釦３００、樹脂ケース４００、回転支持リング５００、ネジリコイルバネ６００、ネジ７００で構成される。
【００２１】
トップケース１００は、図３、図６に示すように、フォーカスダイヤル２００が配置される箇所に丸孔１２０を形成している。トップケース１００は、図３、図６に示すように、ボトム側に樹脂ケース４００を保持している。
【００２２】
樹脂ケース４００は、フォーカスダイヤル２００やファンクション釦３００を保持するためにベースとなる部材である。樹脂ケース４００は、フォーカスダイヤル２００やファンクション釦３００の取り付け部分が複雑な構成となるため、非導電性の樹脂材料で構成されている。樹脂ケース４００は、金属で構成することも可能であるが、加工が複雑であるため、樹脂である必要がある。
【００２３】
樹脂ケース４００は、ファンクション釦３００を保持するための保持孔４３０が形成されている。保持孔４３０は、ファンクション釦３００を回転規制して保持するため、丸孔の外周の一部に凸状の孔を形成している（図９）。
【００２４】
樹脂ケース４００は、保持孔４３０の外周に、ネジリコイルバネ６００を配置する環状リブ４６０が形成されている。また、樹脂ケース４００は、図７、図８に示すように、ネジリコイルバネ６００の導通部６４０を配置するための規制リブ４６１、規制リブ４６２を形成している。さらに、樹脂ケース４００は、図７に示すように、導通部６４０をトップケース１００のボトム側の面に導くように、開口壁４６３、開口壁４６４を形成している。
【００２５】
樹脂ケース４００は、２箇所の回転支持孔４５０が形成されている。回転支持孔４５０は、フォーカスダイヤル２００を、ボトム側から把持するために用いられる。回転支持孔４５０には、図７に示すように、回転支持リング５００の回転支持リブ５５０が内側に配置され、ネジ７００が通過する。図８は、説明のため、点線で回転支持リブ５５０の一部とネジ７００の一部の位置を示している。
【００２６】
ファンクション釦３００は、外装押下部３０１、接着部３０２、押下部ベース３０３で構成されている。外装押下部３０１は、金属材料で構成される。接着部３０２は、接着シールである。押下部ベース３０３は、導電性の樹脂材料である。したがって、ファンクション釦３００は、全体で導電性の部材であるといえる。
【００２７】
ファンクション釦３００は、図６に示すように、ボトム側の突出部３３０が保持孔４３０に挿通される。また、ファンクション釦３００と樹脂ケース４００の間には、ネジリコイルバネ６００が配置される。ファンクション釦３００は、側面側に突出するツバ部３２０が２箇所形成されている。ツバ部３２０は、フォーカスダイヤル２００の背面側と接触して、トップ側への移動が規制される。また、ツバ部３２０は、フォーカスダイヤル２００の背面側と接触して、フォーカスダイヤル２００で発生する静電気をトップケース１００へ導く役割も果たす。したがって、ファンクション釦３００は、樹脂ケース４００に対して、フォーカスダイヤル２００とネジリコイルバネ６００との関係で、トップ側に付勢された状態で保持される。すなわち、ファンクション釦３００は、使用者によって操作されると、ボトム側に押下可能になる。
【００２８】
フォーカスダイヤル２００は、外装回転部２０１、接着部２０２、回転部ベース２０３で構成される。外装回転部２０１は、金属材料で構成される。接着部２０２は、接着シールである。回転部ベース２０３は、非導電性の樹脂材料である。そのため、フォーカスダイヤル２００は、一部が非導電性である。
【００２９】
フォーカスダイヤル２００は、図９に示すように、ファンクション釦３００のツバ部３２０を上面側から押さえつける形で、樹脂ケース４００に取り付けられる。また、フォーカスダイヤル２００は、樹脂ケース４００のボトム側で、回転支持リング５００を介した、ネジ７００によって保持される。回転支持リング５００には、回転支持リブ５５０が形成されている。そのため、回転支持リブ５５０が回転支持孔４５０に沿って移動することで、フォーカスダイヤル２００は、樹脂ケース４００に対して、回転可能に保持される。なお、回転支持リング５００は、非導電性の樹脂材料である。
【００３０】
フォーカスダイヤル２００は、外装回転部２０１がボトム側に凹を向けた形状をしている。そのため、図８に示すように、外装回転部２０１の端面とツバ部３２０とが接触することで、フォーカスダイヤル２００で発生する静電気をファンクション釦３００に導くように構成している。なお、外装回転部２０１は、トップケース１００とは接触しないように構成している。これは、金属部品同士の擦れによる擦れ音発生防止のためである。
【００３１】
ネジリコイルバネ６００は、樹脂ケース４００をベースにして、ファンクション釦３００にトップ側への付勢力を与えるバネである。ネジリコイルバネ６００は、スプリング部６３０と導通部６４０とで構成されている。導通部６４０は、スプリング部６３０のボトム側を側面側に延長した構成である。また、導通部６４０は、端部にフック状の曲がりをつけている。更に、導通部６４０は、トップケースユニットに組み付けられた状態で、トップケース１００に接触可能となるよう、トップ側に向けて延長されている。導通部６４０は、規制リブ４６１、４６２付近で、トップ側に折り曲がっている。
【００３２】
スプリング部６３０は、図７に示すように、樹脂ケース４００のＣ形状をした環状リブ４６０の外周に配置される。そして、導通部６４０は、規制リブ４６１及び規制リブ４６２の間に配置され、かつ、開口壁４６３及び開口壁４６４の間に配置される。導通部６４０は、フック状になった端部がトップケース１００と接触するように配置されている。
【００３３】
ここで、実施の形態１では、導通部６４０をボトム側にスプリング部６３０から延長するように構成しているので、使用者によってファンクション釦３００が押下されると、スプリング部６３０が縮む。スプリング部６３０が縮むと、導通部６４０はフック状の端部がトップ側への付勢を受ける。結果、導通部６４０をより確実にトップケース１００に接触させておくことが可能になる。また、規制リブ４６１、４６２、及び、開口壁４６３、４６４で、導通部６４０の回転を規制しているので、より確実にトップケースに接触させておくことが可能になる。
【００３４】
［１−３．効果等］
以上のように、本実施の形態のカメラボディにおいて、ネジリコイルバネ６００に導通部６４０を有するようにした。
【００３５】
このようにすれば、カメラボディは、ファンクション釦３００の静電気を、ネジリコイルバネ６００を介してトップケース１００に導くことができる。このため、カメラボディは、簡易な構成で、静電気対策を施すことができるようになる。
【００３６】
また、本実施の形態のカメラボディにおいて、フォーカスダイヤル２００とファンクション釦３００を導電性の部材で接触させるようにした。
【００３７】
このようにすれば、カメラボディは、フォーカスダイヤル２００で発生した静電気を、ファンクション釦３００及びネジリコイルバネ６００を介して、トップケース１００に導くことができる。このため、カメラボディは、簡易な構成で、静電気対策を施すことができるようになる。
【００３８】
（他の実施の形態）
以上のように、本出願において開示する技術の例示として、実施の形態１を説明した。しかしながら、本開示における技術は、これに限定されず、適宜、変更、置き換え、付加、省略などを行った実施の形態にも適用可能である。また、上記実施の形態１〜Ｎで説明した各構成要素を組み合わせて、新たな実施の形態とすることも可能である。
【００３９】
そこで、以下、他の実施の形態を例示する。
【００４０】
実施の形態１では、カメラボディに金属釦であるファンクション釦３００を設けるようにした。しかし、他の形態は、これに限られず、スマートフォン、テレビ、又は、オーディオ機器に金属釦を設けるようにしても良い。
【００４１】
実施の形態１では、ファンクション釦３００を金属釦の一例として説明を行った。しかし、他の実施の形態では、これに限られず、金属材料で外装が構成される操作釦であれば、どのような構成であってもかまわない。
【００４２】
以上のように、本開示における技術の例示として、実施の形態を説明した。そのために、添付図面および詳細な説明を提供した。
【００４３】
したがって、添付図面および詳細な説明に記載された構成要素の中には、課題解決のために必須な構成要素だけでなく、上記技術を例示するために、課題解決のためには必須でない構成要素も含まれ得る。そのため、それらの必須ではない構成要素が添付図面や詳細な説明に記載されていることをもって、直ちに、それらの必須ではない構成要素が必須であるとの認定をするべきではない。
【００４４】
また、上述の実施の形態は、本開示における技術を例示するためのものであるから、特許請求の範囲またはその均等の範囲において種々の変更、置き換え、付加、省略などを行うことができる。
【産業上の利用可能性】
【００４５】
本開示は、金属釦を有する電子機器に適用可能である。具体的には、デジタルカメラ、オーディオプレーヤー、スマートフォンなどに、本開示は適用可能である。
【符号の説明】
【００４６】
１００    トップケース
１２０    丸孔
２００    フォーカスダイヤル
２０１    外装回転部
２０２    接着部
２０３    回転部ベース
３００    ファンクション釦
３０１    外装押下部
３０２    接着部
３０３    押下部ベース
３２０    ツバ部
３３０    突出部
４００    樹脂ケース
４３０    保持孔
４５０    回転支持孔
４６０    環状リブ
４６１    規制リブ
４６２    規制リブ
４６３    開口壁
４６４    開口壁
５００    回転支持リング
５５０    回転支持リブ
６００    ネジリコイルバネ
６３０    スプリング部
６４０    導通部
７００    ネジ
【図１】
2015079043.tif 000003
【図２】
2015079043.tif 000004
【図３】
2015079043.tif 000005
【図４】
2015079043.tif 000006
【図５】
2015079043.tif 000007
【図６】
2015079043.tif 000008
【図７】
2015079043.tif 000009
【図８】
2015079043.tif 000010
【図９】
2015079043.tif 000011